(57)【要約】【課題】  溶接部の定期検査時に、断熱材を剥離せずに検査できるようにし、検査コストの低減、検査効率の向上、さらには検査精度の向上を実現し、且つ、雨水の浸透を無くし、浮き屋根の耐用寿命を長くすると共に、静電気による引火の危険性を抑制する。【解決手段】  浮き屋根の表面を第１の樹脂層６で被覆し、この第１の樹脂層６の上であって、溶接線４を除いた部分に断熱材７を設置し、この断熱材７を包むように浮き屋根表面の全体を第２の樹脂層８で被覆する。第１及び第２の樹脂層６及び８は、導電性樹脂である。【選択図】  図１
2008296932.tif 000002
【特許請求の範囲】
【請求項１】
複数の鋼板を溶接でつなぎ合わせてなる浮き屋根において、
浮き屋根の表面を第１の樹脂層で被覆し、
該第１の樹脂層の上であって溶接線を除いた部分に断熱材を設置し、
該断熱材を包むように浮き屋根表面の全体を第２の樹脂層で被覆し、
前記第１及び第２の樹脂層を導電性樹脂で形成したことを特徴とする備蓄タンクの浮き屋根構造。
【請求項２】
複数の鋼板を溶接でつなぎ合わせてなる浮き屋根において、
溶接線を除いた部分に断熱材を設置し、
該断熱材を包むように浮き屋根表面の全体を樹脂層で被覆し、
該樹脂層を導電性樹脂で形成したことを特徴とする備蓄タンクの浮き屋根構造。
【発明の詳細な説明】
【技術分野】
【０００１】
本発明は、備蓄タンクの浮き屋根に関し、特に浮き屋根溶接線の定期検査を容易にして、検査コストの低減及び検査効率の向上を図り、更に断熱材自体を安価にすると共に、雨水の浸透を無くして浮き屋根の耐用寿命を長くした浮き屋根構造に関するものである。
【背景技術】
【０００２】
図５に示すように、備蓄タンク１は、高さＨが２５ｍ、直径Ｄが５０ｍといった具合に、巨大なタンクである。そして、この備蓄タンク１には、備蓄される油やガスの備蓄量に応じて上下する浮き屋根２が設けられている。浮き屋根２は、図４に示すように、複数枚の鋼板３が溶接部（溶接線）４によってつなぎ合わせられている。又、太陽熱によって備蓄タンク１内の内容物が昇温しないように、浮き屋根２の表面には断熱材が設けられている。
【０００３】
又、この備蓄タンク１の高さは高く、且つ、沿岸に設置されることが多いので、強風を受けることが多い。従って、浮き屋根２の表面に設けられた断熱材が、強風によって剥がれないようにしなければならない。一方、備蓄タンク１内に備蓄されている内容物は、油やガスのような危険物である。その為、浮き屋根２の溶接部４を定期検査することが法律により定められている。
【０００４】
従来の浮き屋根２の表面に設けられた断熱材は、図６に示すように、鋼板３の上に断熱板５を敷くようにしている。又、この断熱板５の裏面には、マグネット（図示省略）が固定されており、鋼板３に吸着することによって、強風による剥離を防止するようにしている。そして、溶接部４の定期検査をする時には、断熱板５を５’のように剥離し、溶接部を露出するようにしている。また、断熱板５の剥離作業を容易にするために、隙間Ｃを設けて敷くようにしている。
【０００５】
このような従来の浮き屋根２は、次のような改良すべき問題がある。即ち、浮き屋根２の面積は広大であるので、例えば１００００ｍ２であるので、溶接部４の定期検査の都度、断熱板５を剥離し、検査後に再び断熱板５を敷くのに、多大の工数と費用及び日数がかかり、コスト及び検査効率の点で問題がある。
【０００６】
又、断熱板５の裏面にマグネットを設けているので、断熱板５が高価なものになると共に、検査時にマグネットの吸引力に抗して断熱板５を剥がすのに、大きな力が必要になり、作業能率が悪いという問題がある。また、隙間Ｃをあけるので、この隙間から雨水、特に沿岸に備蓄タンク１を設置した場合には塩分を含んだ雨水が浸透し、鋼板３を腐食させ耐用寿命を短くするという問題がある。
【０００７】
他方、特許文献１又は２に示すように、鋼板の溶接部を除いて断熱材を配置し、断熱材を包むように屋根全体に、ゴム状弾性体からなる表面層あるいは、ブチルゴム系防湿塗料やクロロスルホン化ポリエチレンゴム系防湿塗料を順次吹き付け防水・防火被膜を形成することが開示されている。
【特許文献１】特開平６−２７８７９０号公報
【特許文献２】特開平６−２１１２９２号公報
【０００８】
しかしながら、ゴム状弾性体やゴム系防湿塗料で溶接部を被覆すると、鋼板の導電性を利用した非破壊検査が困難となる上、ゴム状弾性体やゴム系防湿塗料の表面に静電気が帯電しやすくなり、備蓄タンク内に蓄積された油やガスへの引火の危険性が高くなるという問題を生じる。
【発明の開示】
【発明が解決しようとする課題】
【０００９】
本発明は、溶接部の定期検査時に、断熱材を剥離せずに検査できるようにし、検査コストの低減、検査効率の向上、さらには検査精度の向上を達成すると共に、且つ、断熱材自体を安価にすると共に、雨水の浸透を無くし、浮き屋根の耐用寿命を長くした備蓄タンクの浮き屋根構造を提供することを目的とする。
また、静電気の帯電を抑制し、備蓄タンク内に蓄積した油やガスへの引火の危険性を回避することを目的とする。
【課題を解決するための手段】
【００１０】
請求項１に記載の発明は、複数の鋼板を溶接でつなぎ合わせてなる浮き屋根において、浮き屋根の表面を第１の樹脂層で被覆し、該第１の樹脂層の上であって溶接線を除いた部分に断熱材を設置し、該断熱材を包むように浮き屋根表面の全体を第２の樹脂層で被覆し、前記第１及び第２の樹脂層を導電性樹脂で形成したことを特徴とする備蓄タンクの浮き屋根構造である。
【００１１】
請求項２に記載の発明は、複数の鋼板を溶接でつなぎ合わせてなる浮き屋根において、溶接線を除いた部分に断熱材を設置し、該断熱材を包むように浮き屋根表面の全体を樹脂層で被覆し、該樹脂層を導電性樹脂で形成したことを特徴とする備蓄タンクの浮き屋根構造である。
【発明の効果】
【００１２】
請求項１の記載から把握される本発明によれば、浮き屋根の表面を第１の樹脂層で被覆し、この第１の樹脂層の上であって、溶接線を除いた部分に断熱材を設置し、この断熱材を包むように浮き屋根表面の全体を第２の樹脂層で被覆し、前記第１及び第２の樹脂層を導電性樹脂で形成したので、断熱材を剥離することなく、溶接線に沿って短期間に溶接部の非破壊検査をすることができ、検査コストの低減、検査効率の向上、さらには検査精度の向上を実現することができる。また、断熱材を包むように浮き屋根表面の全体を導電性樹脂で被覆したので、雨水が浸透するような隙間はなく、浮き屋根の耐用寿命を長くすることができると共に、静電気の帯電を抑制し、備蓄タンク内に蓄積した油やガスへの引火の危険性を回避することが可能となる。
【００１３】
次に、請求項２の記載から把握される本発明によれば、溶接線を除いた部分に断熱材を設置し、この断熱材を包むように浮き屋根表面の全体を樹脂層で被覆し、この樹脂層を導電性樹脂で形成したので、断熱材を剥離することなく、溶接線に沿って短期間に溶接部の非破壊検査をすることができ、検査コストの低減、検査効率の向上、さらには検査精度の向上を実現することができる。また、断熱材を包むように浮き屋根表面の全体を導電性樹脂で被覆したので、雨水が浸透するような隙間はなく、浮き屋根の耐用寿命を長くすることができると共に、静電気の帯電を抑制し、備蓄タンク内に蓄積した油やガスへの引火の危険性を回避することが可能となる。
【発明を実施するための最良の形態】
【００１４】
以下、本発明に係る備蓄タンクの浮き屋根構造について、詳細に説明する。本発明の備蓄タンクの浮き屋根に係る第一の実施例は、図１に示すように、浮き屋根２を構成している鋼板３の全面に、第１の樹脂層６を吹き付け塗布する。そして、隙間Ｗをあけて溶接部（溶接線）４を除いた部分に断熱材７を設け、この断熱材７を包み込むように、第２の樹脂層８を吹きつけ塗布する。樹脂層６及び８は、特殊な機械を使用して、樹脂を吹き付けるので、短時間に施行することができ、特に広大な面積の施行に適している。そして、樹脂層６及び８は、導電性樹脂で形成する。
【００１５】
この第一実施例において、溶接線４を非破壊検査する場合に、断熱材７は、隙間Ｗをあけた溶接線４を除いた部分に設けられ、且つ、樹脂層６及び８は、導電性樹脂で形成されているので、樹脂層６及び８と断熱材７を剥離除去することなく、溶接線４の非破壊検査をすることができる。又、この非破壊検査において、丁度溶接線４の部分に、幅Ｗ深さＴの溝が形成されることになるので、樹脂層８の表面をガイド面として利用することができ、溶接線４と非破壊検査治具との間の距離を一定に保持することが可能となる。そして、導電性樹脂層による効果とも相まって、非破壊検査の精度を向上することができる。
【００１６】
又、断熱材７は、樹脂層６及び８で、鋼板３に固定されているので、強風による剥離はない。そして、樹脂層６及び８は、浮き屋根２の全面に吹き付け塗布されているので、雨水等の進入はない。
また、樹脂層６及び８が導電性樹脂で形成されているため、浮き屋根の表面に静電気が帯電することを抑制でき、備蓄タンク内に蓄積した油やガスへの引火の危険性を回避することが可能となる。
【００１７】
次に、第二の実施例は、図２に示すように、鋼板３の上に直に断熱材７を設けたものである。即ち、図１に示した第一実施例と異なる点は、第一の樹脂層６を省略したことである。この実施例の場合、断熱材７を接着剤等で鋼板３に仮止めし、断熱材７を包むように樹脂層８を吹きつけ塗布する。また、この実施例の場合、樹脂層６が無いので、溶接線４が明確に目視でき、溶接線４以外の部分への断熱材７の設置が容易であり、且つ、樹脂層６を省略した分、施行工数が少なくなり、安価なものとなる。
【００１８】
次に、第三の実施例は、図３に示すように、断熱材７を垂直に裁断し、幅Ｗの隙間を形成している。図３に示した第三の実施例は、図１に示した樹脂層６を省略したものである。この実施例も第二実施例と同様に、断熱材７を接着剤等で鋼板３に仮止めし、断熱材７を包むように樹脂層８を吹きつけ塗布する。また、この実施例の場合、樹脂層６が無いので、溶接線４が明確に目視でき、溶接線４以外の部分への断熱材７の設置が容易であり、且つ、樹脂層６を省略した分、施行工数が少なくなり、安価なものとなる。この第三実施例において、図１に示した第一実施例のように、樹脂層６を設けてもよい。
【００１９】
この第二及び第三の実施例のその他の部分については、第一実施例と同じである。即ち、樹脂層８は、特殊な機械を使用して、樹脂を吹き付けるので、短時間に施行することができ、特に広大な面積の施行に適している。そして、樹脂層８は、導電性樹脂で形成する。
【００２０】
また、溶接線４を非破壊検査する場合に、断熱材７は、隙間Ｗをあけた溶接線４を除いた部分に設けられ、且つ、樹脂層８は、導電性樹脂で形成されているので、樹脂層８と断熱材７を剥離除去することなく、溶接線４の非破壊検査をすることができる。又、この非破壊検査において、丁度溶接線４の部分に、幅Ｗ深さＴの溝が形成されることになるので、樹脂層８の表面をガイド面として利用することができ、溶接線４と非破壊検査治具との間の距離を一定に保持して、非破壊検査の精度を向上することができる。
【００２１】
断熱材７は、樹脂層８で、鋼板３に固定されているので、強風による剥離はない。そして、樹脂層８は、浮き屋根２の全面に吹き付け塗布されているので、雨水等の進入はない。また、樹脂層８が導電性樹脂で形成されているため、浮き屋根の表面に静電気が帯電することを抑制でき、備蓄タンク内に蓄積した油やガスへの引火の危険性を回避することが可能となる。導電性樹脂としては、例えば超速硬化ウレタンが挙げられる。又、断熱材７としては、例えば発泡ウレタンが挙げられる。これらの材料は、従来の磁石に比べて安価である。又、これらの材料は軽いので、浮き屋根２にかかる荷重を少なくすることができ、その分、備蓄タンク１の構造を簡略化することができ、設置の基礎工事を含めて全体的にコスト低減することができる。
【産業上の利用可能性】
【００２２】
以上のように本発明の備蓄タンクの浮き屋根構造によれば、断熱材を剥離することなく、溶接線に沿って短期間に溶接部の非破壊検査をすることができ、検査コストの低減、及び検査効率を向上することができる。また、断熱材を包むように浮き屋根表面の全体を導電性樹脂で被覆したので、雨水が浸透するような隙間はなく、浮き屋根の耐用寿命を長くすることができる。
【図面の簡単な説明】
【００２３】
【図１】本発明の第一実施例の要部を示す縦断面図である。
【図２】本発明の第二実施例の要部を示す縦断面図である。
【図３】本発明の第三実施例の要部を示す縦断面図である。
【図４】浮き屋根を部分的に斜視図で示した説明用図である。
【図５】備蓄タンクを模式的に示した説明用図である。
【図６】従来の浮き屋根構造を部分的に示した図である。
【符号の説明】
【００２４】
１  備蓄タンク
２  浮き屋根
３  鋼板
４  溶接部（溶接線）
５  断熱板
６  導電性樹脂層
７  断熱材
８  導電性樹脂層
【図１】
2008296932.tif 000003
【図２】
2008296932.tif 000004
【図３】
2008296932.tif 000005
【図４】
2008296932.tif 000006
【図５】
2008296932.tif 000007
【図６】
2008296932.tif 000008